(57)【特許請求の範囲】
【請求項１】
コンクリート構造物の壁面に水密に固定され、幅方向両側部の表面に、長手方向に直交する断面形状が略Ｌ字状の一対の取付け部を有する長尺の複数の保持具と、
各保持具を、前記コンクリート構造物の壁面に固定するアンカー体と、
異なる保持具の取付け部間にわたって設けられる板状の導水受板と、
各保持具の一方の取付け部と導水受板の各幅方向一側部とに着脱自在に装着し、長手方向全長にわたって挟持する挟持部材とを備えることを特徴とする導水装置。
【請求項２】
前記挟持部材は、一対の挟持部とこれらの幅方向一側端を連結する連結部からなり、その長手方向に直交する断面形状が略Ｕ字状に形成されていることを特徴とする請求項１記載の導水装置。
【請求項３】
前記挟持部材は、一対の挟持部とこれらの幅方向一側端を連結する連結部からなり、さらに一方の挟持部の他側端に連なる平坦な押え部を有することにより、その長手方向に直交する断面形状が略Ｊ字状に形成されていることを特徴とする請求項１記載の導水装置。
【請求項４】
前記各保持具の一対の取付け部は、前記幅方向に相互に離反する方向に延びていることを特徴とする請求項１〜３のいずれか１つに記載の導水装置。
【請求項５】
前記導水受板は、透光性を有する合成樹脂から成ることを特徴とする請求項１〜４のいずれか１つに記載の導水装置。
【発明の詳細な説明】
【０００１】
【発明の属する技術分野】
本発明は、道路トンネル、地下構造物、橋台および土留め擁壁などのコンクリート構造物の壁面のクラック箇所および施工目地などからの漏水を、排水溝などの排水設備へ導くために用いられる導水装置に関する。
【０００２】
【従来の技術】
図１１は、従来の技術の導水装置を示す断面図であり、図１２は図１１に示される導水装置が構造物８の壁面１１に取付けられた状態を示す断面図である。この従来の技術の導水装置は、図１１の紙面に垂直な方向を長手方向とする長尺の一対の保持具１と、各保持具１によって図１１の左右方向である幅方向両側部が保持される板状の導水受板１６と、各保持具１を構造物８の壁面１１に固定する各複数のアンカー体９とによって構成される。
【０００３】
前記保持具１は、保持具本体２と、この保持具本体２の幅方向両側部３，４に設けられる一対のシール部材５，６とを有する。保持具本体２の幅方向両側部３，４を連結する幅方向中間部７には、凹所１２が形成され、この凹所１２には、構造物８に埋設されるアンカー体９の螺合部が突出するとともに、この螺合部に螺着されるナット１０が収容される。前記構造物８は、道路トンネルの覆工コンクリートである。
【０００４】
前記凹所１２は、構造物８の壁面１１に向かって手前側に臨んで開放し、この凹所１２の幅方向両側には、幅方向外側方に臨んで開放する凹状の一対の嵌合保持部１４，１５が設けられる。各嵌合保持部１４，１５には、導水受板１６の幅方向一側部がそれぞれ嵌まり込んで保持され、各保持具本体２間で各導水受板１６と壁面１１との間に導水路１７を形成して、構造物８の壁面１１からの漏水を回収し、路側帯１８，１９に設けられる排水溝２０，２１に導いて排水することができるように構成されている。排水溝２０，２１には、埋設された排水管２２，２３が連通し、排水溝２０，２１内の水は、排水管２２，２３へ導かれて排水される。
【０００５】
保持具本体２の各嵌合保持部１４，１５には、相互に対向する凹状の一対の嵌合凹部２４，２５が、相互に近接する方向に突出して一体的に形成される。各嵌合凹部２４，２５には、板状のカバー体２６の幅方向両側部が嵌まり込んで保持される。このカバー体２６によって、凹所１２が塞がれ、前記ナット１０などが外部に露出して、美観が低下することを防止している。
【０００６】
前記保持具本体２は、硬質ポリ塩化ビニルから成る押出型材によって実現される長尺材である。またシール部材５，６は、独立気泡の発泡合成樹脂と合成ごむとの２層構造の複合材料から成る長尺材によって実現される。さらに導水受板１６は、アクリル樹脂と硬質ポリ塩化ビニルとが混合された耐候性および耐薬品性を有する合成樹脂から成る帯状パネルによって実現される。
【０００７】
このような保持具１は、図１２の紙面に垂直な道路軸線方向（図１１の左右方向）に、たとえば５００ｍｍの間隔をあけて複数、設けられ、前記道路軸線方向に隣接する各一対の保持具１毎に導水樋を形成している（たとえば、特許文献１参照）。
【０００８】
【特許文献１】
特許第２９１６４０７号公報
【０００９】
【発明が解決しようとする課題】
このような従来の技術では、導水路１７の排水性を維持する必要から、導水路１７内に溜まった遊離石灰、水垢および剥落したコンクリート片などの滞留物を除去するのであるが、このような滞留物を除去するとき、導水受板１６を外すためには、ナット１０を緩めて保持具１全体を壁面１１から外す必要があるため、取外し作業に手間を要する。また、取外された保持具１は、導水路１７内の前記滞留物を除去した後、再び元の位置に取付けられるが、この取付け時に保持具１に形成される前記凹所１２に臨む複数に穴と、壁面１１に打設された各アンカー体９とを一致させるために手間を要し、取付け作業を効率よく行うことができない。このような保持具１の取外し作業および再取付け作業は、導水路１７内の滞留物を除去する場合だけでなく、導水路１７内の点検時に導水受板を取外して導水路を開放においても同様に生じ、前述の従来の技術の導水装置では、導水路１７の維持管理に極めて手間を要するという問題がある。
【００１０】
本発明の目的は、容易に導水受板だけを取外しかつ取付けることができるようにして、導水路の維持管理の手間を低減することができるようにした導水装置を提供することである。
【００１１】
【課題を解決するための手段】
請求項１記載の本発明は、コンクリート構造物の壁面に水密に固定され、幅方向両側部の表面に、長手方向に直交する断面形状が略Ｌ字状の一対の取付け部を有する長尺の複数の保持具と、
各保持具を、前記コンクリート構造物の壁面に固定するアンカー体と、
異なる保持具の取付け部間にわたって設けられる板状の導水受板と、
各保持具の一方の取付け部と導水受板の各幅方向一側部とに着脱自在に装着し、長手方向全長にわたって挟持する挟持部材とを備えることを特徴とする導水装置である。
【００１２】
本発明に従えば、構造物の壁面にアンカー体によって複数の保持具が水密に固定され、各保持具の取付け部と導水受板の幅方向両端部とが着脱自在に装着された挟持部材によって長手方向全長にわたって挟持される。これによって挟持部材をたとえば木槌などによって軽く打撃するなどして、前記導水受板の幅方向両端部および各取付け部から取外し、各保持具から導水受板を分離して導水路を開放し、導水路内に溜まった滞留物を除去することができる。また、導水路内の滞留物を除去した後には、再び導水受板の幅方向両端部と各取付け部とに挟持部材を前記木槌などによって軽く打撃するなどして装着し、再び導水受板を各保持具に取付けることができる。このように挟持部材によって導水受板を各保持具から取外し、または取付けることができるので、導水路内の滞留物の除去および点検を容易に行うことができ、保守管理に要する手間を格段に削減することができる。
【００１３】
また、各保持具の取付け部と導水受板の幅方向両端部とを前記長手方向全長にわたって密着させ、前記取付け部および導水受板間の水密性が向上される。したがって各保持具間で壁面と導水受板との間に形成される導水路内の水が外部に漏洩することが防がれ、壁面の亀裂などから発生した水を排水溝などの排水設備が設けられる所定の排水位置へ確実に導いて排水することができる。
【００１４】
請求項２記載の本発明は、前記挟持部材は、一対の挟持部とこれらの幅方向一側端を連結する連結部からなり、その長手方向に直交する断面形状が略Ｕ字状に形成されていることを特徴とする。
【００１５】
本発明に従えば、前記挟持部材が一対の挟持部と連結部とによって断面が略Ｕ字状に形成されるので、取付け部と導水受板とを両側から広い幅で長手方向全長にわたって挟着することが可能であり、これによって取付け部および導水受板間の密着面積を大きくして、水密性をより一層向上することができる。
【００１６】
請求項３記載の本発明は、前記挟持部材は、一対の挟持部とこれらの幅方向一側端を連結する連結部からなり、さらに一方の挟持部の他側端に連なる平坦な押え部を有することにより、その長手方向に直交する断面形状が略Ｊ字状に形成されていることを特徴とする。
【００１７】
本発明に従えば、前記挟持部材は、一方の挟持部の他側端に連なって平坦な押え部が形成されるので、前記一方の挟持部によって、保持具本体の一方の取付け部と導水受板の幅方向一側部とを水密に挟着し、前記押え部によって、導水受板の他方の取付け部上に配置される領域を前記他方の取付け部に向けて押え付けることができ、これによって、より一層、水密性を向上し、各保持具本体間で壁面と導水受板との間に形成される導水路内の水の漏洩を確実に防止することができる。
【００１８】
請求項４記載の本発明は、前記各保持具の一対の取付け部は、前記幅方向に相互に離反する方向に延びていることを特徴とする。
【００１９】
本発明に従えば、前記各保持具の一対の取付け部が前記幅方向に相互に離反する方向に延びて形成されているので、各取付け部に前記挟持部材を用いて導水受板の幅方向一端部を挟着して保持することができ、これによって１つの保持具の両側に導水路を形成して、複数列を導水路を確保することができる。トンネルなどの構造物の壁面に対して、広い領域にわたって壁面の亀裂などから発生した水を各導水路内に回収し、水の漏洩をすることができる。
【００２０】
請求項５記載の本発明は、前記導水受板は、透光性を有する合成樹脂から成ることを特徴とする。
【００２１】
本発明に従えば、前記導水受板は、透光性を有する合成樹脂から成るので、外部から導水受板を介して導水路内を視認し、導水路内の水の流れの状態および目詰まりの有無などを容易に確認することができ、保守管理に対する作業性の容易化を図ることができる。
【００２２】
【発明の実施の形態】
図１は、本発明の実施の一形態の単列導水路用の導水装置３１を示す断面図であり、図２は図１の下方から見た導水装置３１の一部の正面図である。本実施の形態の導水装置３１は、構造物３２の壁面３３に水密に固定され、長手方向に垂直な幅方向両側部３４ａ，３５ａ；３４ｂ，３５ｂに、前記長手方向に垂直な断面が略Ｌ字状の取付け部３６ａ，３７ａ；３６ｂ，３７ｂが形成される長尺の複数である一対の保持具４０ａ，４０ｂと、各保持具４０ａ，４０ｂを前記構造物３２の壁面３３に固定する各複数のアンカー体４１ａ，４１ｂと、各保持具４０ａ，４０ｂの相互に離反する側に設けられる取付け部３６ａ，３７ｂに幅方向両側部が保持され、各取付け部３６ａ，３７ｂ間にわたって設けられる板状の導水受板４２と、各保持具４０ａ，４０ｂの外側方に配置される取付け部３６ａ，３７ｂと導水受板４２の各幅方向一側部とを、前記長手方向全長にわたってそれぞれ挟持する挟持部材４３ａ，４３ｂとを含む。
【００２３】
一方の保持具４０ａは、保持具本体４４ａと、保持具本体４４ａにたとえば接着剤による接着または両面粘着テープによる粘着などによって固定される一対の長尺のシール部材４５ａ，４６ａとを有する。前記保持具本体４４ａは、前記一対の側部３４ａ，３５ａと、前記各側部３４ａ，３５ａ間に一体的に形成され、前記アンカー体４１ａが挿通する幅方向中間部４７ａと、各側部３４ａ，３５ａに一体的に形成される前述の取付け部３６ａ，３７ａとを含む。
【００２４】
前記保持具本体４４ａは、硬質ポリ塩化ビニルなどの熱可塑性合成樹脂から成る押出し型材によって実現され、その長さが４．０ｍの長尺材である。またシール部材４５ａ，４６ａは、独立気泡の発泡合成樹脂と合成ごむとの２層構造の複合材料から成る長尺材によって実現される。さらに前記導水受板４２は、たとえばアクリル樹脂と硬質ポリ塩化ビニルとが混合された耐候性および耐薬品性を有する熱可塑性合成樹脂の押出し型材によって実現される。
【００２５】
他方の保持具４０ｂは、前述の一方の保持具４０ａと同様に構成され、対応する部分には同一の数字に添え字ｂを付し、重複を避けて説明は省略する。
【００２６】
図３は、導水装置３１が構造物３２の壁面３３に取付けられた状態を示す全体の断面図である。図１および図２をも参照して、前記保持装置３１は、図３の紙面に垂直な道路軸線方向（図１および図２では左右方向）に、たとえば施工目地ごとに間隔をあけて複数、設けられる。構造物３２は、道路トンネルの覆工コンクリートであって、その内周の壁面３３の施工目地および亀裂などから発生した水を、前記一対の保持具４０ａ，４０ｂ間の導水受板４２と壁面３３との間に形成される導水路３９内に回収し、路側帯に設けられる開渠排水溝４８ａ，４８ｂに導かれ、各開渠排水溝４８ａ，４８ｂから暗渠排水溝４９ａ，４９ｂに落とし込まれて排水処理される。これらの開渠排水溝４８ａ，４８ｂおよび暗渠排水溝４９ａ，４９ｂによって、排水設備を構成する。
【００２７】
前記構造物３２には、前述の複数のアンカー体４１ａ，４１ｂが壁面３３に沿って周方向に間隔Ｌ１をあけかつ道路軸線方向（図３の紙面に垂直な方向）に前記間隔Ｌ２をあけて埋設される。前記周方向の間隔Ｌ１は、たとえば５００ｍｍに選ばれ、前記道路軸線方向の間隔Ｌ２は、３００〜１０００ｍｍに選ばれる。
【００２８】
図４は、一方の保持具４０ａの拡大断面図である。前記保持具４０ａは、前記壁面３３に沿いかつ長手方向に垂直な幅方向（図４の左右方向）両側部３４ａ，３５ａに、前記シール部材４５ａ，４６ａがそれぞれ設けられる。幅方向両側部３４ａ，３５ａを相互に連結する前記幅方向中間部４７ａは、壁面３３側に配置される薄肉の隔壁５８と、この隔壁５８と平行な厚肉の支持壁５９とによって構成される。
【００２９】
各アンカー体４１ａ，４１ｂは、構造物３２内に埋設される直円筒部軸線方向一端部に周方向に分断された複数の拡開片５０が一体的に形成され、軸線方向他端部には外ねじが刻設される中空のアンカースリーブ５１と、軸線方向一端部に前記拡開片５０に挿入される円錐台状のテーパ部５２が設けられるアンカーロッド５３と、アンカースリーブ５１の前記外ねじに螺着されるナット５４とを有する。
【００３０】
このようなアンカー体４１ａ，４１ｂは、構造物３２にコンクリートドリルなどの穿孔工具によって予め穿孔して下穴を形成し、この下穴に前記アンカーロッド５３が挿入されたアンカースリーブ５１を打ち込み、テーパ部５２がアンカースリーブ５１内に押し込まれることによって拡開片５０が拡開されて抜け止めされ、こうして構造物３２に固定されたアンカースリーブ５１の外ねじ部にナット５４を螺着して締め付けることによって、各保持具４０ａ，４０ｂが構造物３２に固定される。
【００３１】
支持壁５９は、各取付け部３６ａ，３７ａよりも壁面３３側に退避し、凹所６０を形成する。前記隔壁５８には、アンカースリーブ５１が挿通する挿通孔６１が形成される。前記支持壁５９には、アンカースリーブ５１が挿通する挿通孔６２が前記隔壁５８の挿通孔６１と同軸に形成される。支持壁５９の挿通孔６２を挿通して凹所６０内に突出したアンカースリーブ５１の外ねじ部には、座金６３ａが装着され、ナット５４が前述のように螺着される。
【００３２】
一方の側部３４ａは、断面が四角形の筒状部６４に前記シール部材４５ａが部分的に嵌まり込む一対のリブ６５，６６が一体的に形成される。筒状部６４は、正面壁６８と、正面壁６８の幅方向外方の端部に壁面３３に向かって直角に連なる外側壁６９と、正面壁６８の幅方向内方の端部に壁面３３に向かって直角に連なる内側壁７０と、外側壁６９および内側壁７０の壁面３３寄りの各端部に連なり、前記正面壁６８に平行な背後壁７１とを有する。
【００３３】
他方の側部３５ａもまた、前記一方の側部３４ａと幅方向中央部を含む仮想一平面６７に関して面対称に構成される。
【００３４】
前記凹所６０の幅方向両側には、正面壁６８と取付け部３６ａ，３７ａとの間に、幅方向外側方（図４の右方および左方）に臨んで開放する嵌合凹所７５，７６がそれぞれ形成される。また、支持壁５９および各取付け部３６ａ，３７ａの図４において下方である正面側に臨む表面には、第１面状シール部材７７が保持具本体４４ａの長手方向全長にわたって設けられる。この第１面状シール部材７７は、保持具本体４４ａと一体成型されてもよく、または接着剤によって接着されてもよい。
【００３５】
各正面壁６８の前記嵌合凹所７５，７６に臨む表面には、第２面状シール部材７８，７９がそれぞれ設けられる。各第２面状シール部材７８，７９は、保持具本体４４ａと一体成型されてもよく、または接着剤によって接着されてもよい。第１および第２面状シール部材７７〜７９は、厚みが０．５〜３．０ｍｍの可撓性および弾発性を有する軟質の合成樹脂、たとえばポリエチレン（略称ＰＥ）とエチレン・プロピレン・ジエン共重合ゴム（略称ＥＰＤＭ）との複合弾性材料から成る独立気泡の発泡合成樹脂シートによって実現される。
【００３６】
前記一方の挟持部材４３ａは、一対の挟持部８０，８１と、各挟持部８０，８１の幅方向一端部に直角に連なる連結部８２とを有し、断面が開放端側に向かって各挟持部８０，８１が相互に近接する方向に傾斜した略Ｕ字状に形成される。この挟持部材４３ａが一方の取付け部３６ａおよび導水受板４２の幅方向一端部に装着された状態では、各挟持部８０，８１はほば平行に押し広げられ、一方の挟持部８０は嵌合凹所７５内に挿入され、この一方の連結部８０には前記第２シール部材７８が図４の紙面に垂直な長手方向全長にわたって面接触している。また、前記一方の挟持部８０と他方の挟持部８１との間には、一方の取付け部３６ａと導水受板４２の幅方向一側部とが挟持され、さらに前記一方の取付け部３６ａと導水受板４２の幅方向一側部８３の側縁端寄りの領域８４との間には、前述の第１面状シール部材７７が介在される。
【００３７】
このようにして一方の挟持部８０と正面壁６８との間および一方の取付け部３６ａと導水受板４２の側縁部寄りの領域８４との間は、幅Ｗ１にわたって第１および第２面状シール部材７７，７８が挟持部材４３ａの各挟持部８０，８１が相互に近接しようとする弾性回復力に起因する押圧力によって加圧状態で接触するので、高い水密性を達成し、壁面３３の亀裂などから発生した水が各挿通孔６１，６２などを経て凹所６０へ導かれた水および凹所６０内で結露した水が、外部へ漏洩してしまうことが防がれ、トンネルなどである構造物３２内で水滴が導水装置３１から落下するという不具合の発生が防止される。
【００３８】
さらに、他方の取付け部３７ａと導水受板４２の前記他方の取付け部３７ａに対向する領域８５との間には、前記第２面状シール部材７８が介在される。導水受板４２の前記対向する領域８５は、ビス８６によって前記他方の取付け部３７ｂに向かって締め付けられた状態で固定される。これによって前記対向する領域８５と他方の取付け部３７ｂとの間の水密性が向上され、導水路３９から外部への水の漏洩が防止される。
【００３９】
以上の説明では、主として一方の保持具４０ａについて述べたが、他方の保持具４０ｂについても同様であり、壁面３３に対向する側、すなわち図１および図４の下方から見て左右対称に構成され、対応する部分に同一の数字に添え字ｂを付し、重複を避けて説明は省略する。
【００４０】
図５は、各保持具４０ａ，４０ｂから導水受板４２を外して導水路３９を開放した状態を示す断面図である。前述のように各保持具４０ａ，４０ｂの取付け部３６ａ，３７ｂと導水受板４２の幅方向両端部とに挟持部材４３ａ，４３ｂが着脱自在に装着され、長手方向全長にわたって挟持されるので、各挟持部材４３ａ，４３ｂをたとえば木槌などによって軽く打撃するなどして、前記導水受板４２の幅方向両端部を各取付け部３６ａ，３７ｂから取外し、各保持具４０ａ，４０ｂから導水受板４２を分離して導水路３９を開放し、導水路３９内に溜まった遊離石灰、水垢および剥落したコンクリート片などの滞留物を除去することができる。また、導水路３９内の滞留物を除去した後には、再び導水受板４２の幅方向両端部と各取付け部３６ａ，３７ｂとに挟持部材４３ａ，４３ｂを前記木槌などによって軽く打撃するなどして装着し、再び導水受板４２を各保持具４０ａ，４０ｂに取付けることができる。このように挟持部材４３ａ，４３ｂによって導水受板４２を各保持具４０ａ，４０ｂから取外し、または取付けることができるので、導水路３９内の滞留物の除去および点検を容易に行うことができ、保守管理に要する手間を格段に削減することができる。
【００４１】
図６は、本発明の実施の他の形態の単列の導水路３９を形成するための導水装置３１ａの一方の保持具４０ａ付近の拡大断面図である。なお、前述の実施の形態と対応する部分には、同一の参照符を付し、重複する説明は省略する。
【００４２】
本実施の形態では、前述の実施の形態の導水装置３１の挟持部材４３ａ，４３ｂに代えて、他方の挟持部８１に連なり、一方の取付け部３６ａから他方の取付け部３６ｂにわたって延びる平坦な押え部８１ａを有する挟持部材９１（左右対称の構成であるため、添え字ａ，ｂは省略する）が用いられる。この挟持部材９１は、前記押え部８１ａを有することにより、その長手方向に直交する断面形状が略Ｊ字状に形成される。
【００４３】
このような挟持部材９１は、他方の挟持部８１および押え部８１ａによって同時に２つの取付け部３６ａ，３７ａ上で導水受板４２の前記側縁部寄りの領域８４および対向する領域８５を押え付け、水密性を向上することができる。他方の保持具４０ｂもまた、前述の一方の保持具４０ａと同様な構成を有し、左右対称に配置されている。
【００４４】
図７は、本発明の実施の他の形態の複列用の導水装置３１ｂで用いられる保持具１４０を示す拡大断面図である。なお、前述の図１〜図６に示される実施の各形態と対応する部分には、同一の参照符を付し、重複する説明は省略する。また左右対称である構成について左右の構成を個別に説明する必要がない場合には、添え字ａ，ｂは省略し、数字だけの参照符によって各構成の説明を代表する場合がある。
【００４５】
本実施の形態では、３以上である複数の保持具１４０が用いられる。各保持具１４０は、各側部３４，３５に相互に対向する側に開放した取付け部３６，３７が一体的に形成される。各取付け部３６，３７には、断面が大略的にＵ字状の挟持部材４３ａ，４３ｂが装着され、各挟持部材１４３ａ，１４３ｂ上には、カバー体９７が接着され、あるいはビス止めされて固定される。これらの挟持部材１４３ａ，１４３ｂによって、２つの取付け部３６，３７上で導水受板４２の幅方向両側部がそれぞれ水密に挟持された状態で、導水受板４２が保持される。
【００４６】
図８は、図７に示される保持具１４０を用いた導水装置３１ｂを示す断面図であり、図９は図８の下方から見たカバー体９７を省略した導水装置３１ｂの正面図である。前述の保持具１４０を構造物３２の壁面３３に沿って相互に平行に３以上の複数列、設けることによって、図８および図９の左右方向である道路軸線方向に複数の導水路３９を形成し、広い面積にわたって壁面３３の亀裂および目地などから発生する水を各導水路３９内に回収して、図３に示される前記排水設備へ導いて確実に排水することができる。
【００４７】
図１０は、本発明の実施のさらに他の形態の複数の導水路３９を形成するため導水装置３１ｃの保持具２４０を示す拡大断面図である。なお、前述の図１〜図６に示される実施の各形態と対応する部分には、同一の参照符を付し、重複する説明は省略する。また左右対称である構成について左右の構成を個別に説明する必要がない場合には、添え字ａ，ｂは省略し、数字だけの参照符によって各構成の説明を代表する場合がある。
【００４８】
本実施の形態では、３以上である複数の保持具２４０が用いられる。各保持具２４０は、各側部３４，３５に幅方向外側方に開放した、前述の図１〜図６と同様な取付け部３６，３７が一体的に形成される。各取付け部３６，３７には、断面が大略的にＳ字状に嵌合した各一対の挟持部材２４３ａ，２４３ｂが装着され、これらの挟持部材２４３ａ，２４３ｂによって、２つの取付け部３６，３７上で導水受板４２の幅方向両側部がそれぞれ水密に挟持され、さらにカバー体９７が各挟持部材２４３ａ，２４３ｂに接着され、あるいはビス止めされた状態で、導水受板４２が保持される。
【００４９】
このような保持具２４０を構造物３２の壁面３３に沿って相互に平行に３以上の複数列、設けることによって、図１０の左右方向である道路軸線方向に複数の導水路３９を形成し、広い面積にわたって壁面３３の亀裂および目地などから発生する水を各導水路３９内に回収して、図３に示される前記排水設備へ導いて確実に排水することができる。
【００５０】
本発明の実施のさらに他の形態では、図１〜図１０に示される実施の各形態において用いた導水受板４２を、アクリルなどによって実現される透光性を有する合成樹脂によって形成する。これによって外部から導水受板４２を介して導水路３９内を視認し、導水路３９内の水の流れの状態および目詰まりの有無などを容易に確認することができ、保守管理の作業を容易に行うことができる。
【００５１】
【発明の効果】
請求項１記載の本発明によれば、保持具の取付け部と導水受板の幅方向両端部とに挟持部材が着脱自在に装着されるので、導水受板を各保持具から取外しおよび取付けを容易に行うことができ、導水路内の滞留物の除去および点検などの保守管理作業を簡素化および容易化して、保守管理に要する手間を格段に削減することができる。また、前記長手方向全長にわたって密着させ、前記取付け部および導水受板間の水密性を向上し、各保持具間で壁面と導水受板との間に形成される導水路内の水が外部に漏洩することが防がれ、壁面の亀裂などから発生した水を排水溝などの排水設備が設けられる所定の排水位置へ確実に導いて排水することができる。
【００５２】
請求項２記載の本発明によれば、挟持部材が一対の挟持部の幅方向一側端が連結部によって連結され、長手方向に直交する断面形状が略Ｕ字状に形成されるので、取付け部と導水受板とを両側から広い幅で長手方向全長にわたって挟着することが可能であり、これによって取付け部および導水受板間の密着面積を大きくして、水密性をより一層向上することができる。
【００５３】
請求項３記載の本発明によれば、挟持部材は、一方の挟持部に平坦な押え部が形成されるので、前記一方の挟持部によって、保持具本体の一方の取付け部と導水受板の幅方向一側部とを水密に挟着し、前記押え部によって、導水受板の他方の取付け部上に配置される領域を前記他方の取付け部に向けて押え付けることができ、これによって、より一層、水密性を向上し、各保持具本体間で壁面と導水受板との間に形成される導水路内の水の漏洩を確実に防止することができる。
【００５４】
請求項４記載の本発明によれば、保持具は、幅方向に相互に離反する方向に延びる一対の取付け部を有するので、各取付け部に前記挟持部材を用いて導水受板の幅方向一端部を挟着して保持することができ、これによって１つの保持具の両側に導水路を形成して、複数列を導水路を確保することができる。トンネルなどの構造物の壁面に対して、広い領域にわたって壁面の亀裂などから発生した水を各導水路内に回収し、水の漏洩をすることができる。
【００５５】
請求項５記載の本発明によれば、導水受板は、透光性を有する合成樹脂から成るので、外部から導水受板を介して導水路内を視認し、導水路内の水の流れの状態および目詰まりの有無などを容易に確認することができ、保守管理に対する作業性の容易化を図ることができる。
【図面の簡単な説明】
【図１】本発明の実施の一形態の導水受板の保持具４０を用いる導水装置３１の断面図である。
【図２】図１の下方から見た導水装置３１の一部の正面図である。
【図３】導水装置３１が構造物３２の壁面３３に取付けられた状態を示す全体の断面図である。
【図４】一方の保持具４０ａの拡大断面図である。
【図５】各保持具４０ａ，４０ｂから導水受板４２を外して導水路３９を開放した状態を示す断面図である。
【図６】本発明の実施の他の形態の単一の導水路３９を形成するための水装置３１ａの一方の保持具４０ａ付近の拡大断面図である。
【図７】本発明の実施の他の形態の複列用の導水装置３１ｂで用いられる保持具１４０を示す拡大断面図である。
【図８】図７に示される保持具１４０を用いた導水装置３１ｂを示す断面図である。
【図９】図８の下方から見たカバー体９７を省略した導水装置３１ｂの正面図である。
【図１０】本発明の実施のさらに他の形態の複数の導水路３９を形成するため導水装置３１ｃの保持具２４０を示す拡大断面図である。
【図１１】従来の技術の導水装置を示す断面図である。
【図１２】図１１に示される導水装置が構造物８の壁面１１に取付けられた状態を示す断面図である。
【符号の説明】
３１，３１ａ，３１ｂ，３１ｃ  導水装置
３２  構造物
３３  壁面
３４ａ，３５ａ；３４ｂ，３５ｂ  幅方向両側部
３６ａ，３７ａ；３６ｂ，３７ｂ  取付け部
４０ａ，４０ｂ；１４０；２４０  保持具
４１ａ，４１ｂ  アンカー体
４２  導水受板
４３ａ，４３ｂ；１４３；２４３  挟持部材
４４ａ，４４ｂ  保持具本体
４５ａ，４６ａ  シール部材
４７ａ，４７ｂ  連結部
４８ａ，４８ｂ  排水溝
４９ａ，４９ｂ  暗渠排水溝
【図１】
0003668473.tif 000002
【図２】
0003668473.tif 000003
【図３】
0003668473.tif 000004
【図４】
0003668473.tif 000005
【図５】
0003668473.tif 000006
【図６】
0003668473.tif 000007
【図７】
0003668473.tif 000008
【図８】
0003668473.tif 000009
【図９】
0003668473.tif 000010
【図１０】
0003668473.tif 000011
【図１１】
0003668473.tif 000012
【図１２】
0003668473.tif 000013